(57)【要約】  【課題】  車両の走行状態と車載機器の温度に基づいてファンの回転数を制御することにより、車両の乗員にファンの騒音を極力感じさせないようにすることができる車載装置を提供すること。  【解決手段】  車載装置は、プロジェクタ２０の筐体の内部温度を検出する内部温度検出部２１の検出結果に基づき、プロジェクタ２０の筐体の内部温度が規定上限温度以上になった場合には、ファン２４の回転数を増加するように制御するとともに、プロジェクタ２０の筐体の内部温度が規定下限温度以下になった場合には、ファン２４の回転速度を減少するように制御し、プロジェクタ２０の筐体の内部温度が適正温度範囲内にある場合に、車両の速度、エンジン回転数、空調装置の風量、あるいは窓の開閉状況に応じて、ファン２４の回転数を制御する。【選択図】  図１
2006347495.tif 000002
【特許請求の範囲】
【請求項１】
車載機器を冷却する機能を持つ車載装置であって、
車両状態と車載機器の温度に関する情報に基づき、前記車載機器を冷却するファンの回転数を制御するファン制御手段を備えたことを特徴とする車載装置。
【請求項２】
ファンにより前記車載機器を冷却する冷却手段と、
車両状態を検出する車両状態検出手段と、
前記車載機器の温度を検出する温度検出手段とを備え、
前記ファン制御手段は、前記車両状態検出手段および前記温度検出手段の検出結果に基づいて前記ファンの回転数を制御することを特徴とする請求項１に記載の車載装置。
【請求項３】
前記ファン制御手段は、
前記温度検出手段の検出結果に基づき、前記車載機器の温度が規定上限温度以上になった場合には、前記ファンの回転数を前記温度が規定上限温度以上になる前よりも多くし、
前記車載機器の温度が規定下限温度以下になった場合には、前記ファンの回転数を前記温度が規定下限温度以下になる前よりも少なく、または零にし、
前記車載機器の温度が前記規定下限温度から前記規定上限温度の間の場合には、前記車両状態検出手段および前記温度検出手段の検出結果に基づいて前記ファンの回転数を制御することを特徴とする請求項２に記載の車載装置。
【請求項４】
前記車両状態検出手段は、前記車両の速度を検出する車速検出部を備えることを特徴とする請求項２または請求項３に記載の車載装置。
【請求項５】
前記車両状態検出手段は、前記車両のエンジンの回転数を検出するエンジン回転数検出部を備えることを特徴とする請求項２または請求項３に記載の車載装置。
【請求項６】
前記車両状態検出手段は、前記車両の空調装置の風量状態を検出する空調装置状態検出部を備えることを特徴とする請求項２または請求項３に記載の車載装置。
【請求項７】
前記車両状態検出手段は、前記車両の窓の開閉状態を検出する窓状態検出部を備えることを特徴とする請求項２または請求項３に記載の車載装置。
【請求項８】
前記ファン制御手段は、
前記車速検出部の検出結果に基づき、車両の速度が速くなると前記ファンの回転数を多くし、車両の速度が遅くなると前記ファンの回転数を少なくすることを特徴とする請求項４に記載の車載装置。
【請求項９】
前記ファン制御手段は、
前記エンジン回転数検出部の検出結果に基づき、前記エンジンの回転数が多くなると前記ファンの回転数を多くし、前記エンジンの回転数が少なくなると前記ファンの回転数を少なくすることを特徴とする請求項５に記載の車載装置。
【請求項１０】
前記ファン制御手段は、
前記空調装置状態検出部の検出結果に基づき、前記空調装置の風量が強くなると前記ファンの回転数を多くし、前記空調装置の風量が弱くなると前記ファンの回転数を少なくすることを特徴とする請求項６に記載の車載装置。
【請求項１１】
前記ファン制御手段は、
前記窓状態検出部の検出結果に基づき、車両の窓が開いているときには、前記ファンの回転数を多くし、車両の窓が閉じているときには、前記ファンの回転数を少なくすることを特徴とする請求項７に記載の車載装置。
【請求項１２】
前記車載機器が車載用プロジェクタであることを特徴とする請求項１乃至請求項１１の何れか１項に記載の車載装置。
【請求項１３】
前記車載機器が車載用プラズマディスプレイであることを特徴とする請求項１乃至請求項１１の何れか１項に記載の車載装置。
【発明の詳細な説明】
【技術分野】
【０００１】
本発明は、車載装置に関し、特に、車両状態に応じて車載機器を冷却するファンの回転数を制御する車載装置に関する。
【背景技術】
【０００２】
近時の車両にあっては、車載機器としてプロジェクタ等の表示装置を搭載することにより、車室内での娯楽性をより高くできるようになっている。
【０００３】
このようなプロジェクタ等の表示装置にあっては、高輝度化を図るためにランプの光量を増大して鮮明な画像を表示するようになっているため、ランプの熱量が増大して高温となってしまうことから、冷却ファン等を用いてプロジェクタを冷却するようにしている。
【０００４】
従来のこの種の車載装置としては、図７に示すように、プロジェクタ主体本部１と、オーディオ回路２と、オーディオ回路２の音量を検出するオーディオ音量検出部３と、プロジェクタ主体本部１の内部温度を検出する温度センサ４と、温度センサ４による検出温度を検出する内部温度検出部５と、オーディオの音量および内部温度が入力される制御部６と、制御部６により駆動されるファン駆動部７と、ファン駆動部７により駆動され、プロジェクタ主体本部１を冷却するファン８とを有し、制御部６は、冷却用のファン８の回転速度を変化させる際に、オーディオ回路２の音量または外部騒音が大きいときには、音量に紛れて冷却ファン８を高速回転し、オーディオ回路２の音量または外部騒音が大きくないときには、冷却用のファン８の回転速度の変化を緩やかに制御することにより、ユーザが感知できる冷却用のファン８の回転速度の変化による騒音を低減するようにしたものがある（例えば、特許文献１参照）。
【特許文献１】特開２００３−３２２９０９号公報
【発明の開示】
【発明が解決しようとする課題】
【０００５】
しかしながら、このような従来の車載装置にあっては、オーディオ回路２の音量または外部騒音に基づいて冷却用のファン８の回転数を制御していたため、この冷却装置を車載用のプロジェクタ等の機器に適用すると、例えば、車内で映画を鑑賞する際に、鑑賞者が会話する声も騒音として認識してしまい、冷却用のファン８の騒音が増大して、鑑賞者同士の会話が阻害されてしまうことがあった。
【０００６】
本発明は、上記従来の問題を解決するもので、車両の走行状態や車載機器の温度に基づいてファンの回転数を制御することにより、車両の乗員にファンの騒音を極力感じさせないようにすることができる車載装置を提供することを目的とする。
【課題を解決するための手段】
【０００７】
本発明の車載装置は、車載機器を冷却する機能を持つ車載装置であって、車両状態と車載機器の温度に関する情報に基づき、前記車載機器を冷却するファンの回転数を制御するファン制御手段を備えたものから構成されている。
【０００８】
この構成により、車両の走行状態や車載機器の温度に基づいてファンの回転数を制御することにより、車両の乗員にファンの騒音を極力感じさせないようにすることができる。
【０００９】
また、本発明の車載装置は、ファンにより前記車載機器を冷却する冷却手段と、車両状態を検出する車両状態検出手段と、前記車載機器の温度を検出する温度検出手段と、前記車両状態検出手段および前記温度検出手段の検出結果に基づいて前記ファンの回転数を制御するファン制御部とを備えるものから構成されている。
【００１０】
この構成により、車両の走行状態や車載機器の温度に基づいてファンの回転数を制御することにより、車両の乗員にファンの騒音を極力感じさせないようにすることができる。
【００１１】
また、本発明の車載装置の前記ファン制御手段は、前記車載機器の温度が規定上限温度以上になった場合には、前記ファンの回転数を前記温度が規定上限温度以上になる前よりも多くし、前記車載機器の温度が規定下限温度以下になった場合には、前記ファンの回転数を前記温度が規定下限温度以下になる前よりも少なく、または零にし、前記車載機器の温度が前記規定下限温度から前記規定上限温度の間の場合には、前記車両状態検出手段および前記温度検出手段の検出結果に基づいて前記ファンの回転数を制御するものから構成されている。
【００１２】
この構成により、車載機器の温度が一定範囲（例えば、車載機器の適正温度範囲）以下または以上になった場合には、車両状態に関係なしにファンの回転数を増加または減少するように制御し、車載機器の温度が一定範囲内にある場合には、車両状態に応じてファン回転数を制御するので、走行状態や車載機器の温度に基づいてファンの回転数を制御することにより、車両の乗員にファンの騒音を極力感じさせないようにすることができる。
【００１３】
また、本発明の車載装置の前記車両状態検出手段は、前記車両の速度を検出する車速検出部を備えるものから構成されている。
【００１４】
この構成により、車両の速度や車載機器の温度に基づいてファンの回転数を制御することにより、車両の乗員にファンの騒音を極力感じさせないようにすることができる。
【００１５】
また、本発明の車載装置の前記車両状態検出手段は、前記車両のエンジンの回転数を検出するエンジン回転数検出部を備えるものから構成されている。
【００１６】
この構成により、車両のエンジン回転数や車載機器の温度に基づいてファンの回転数を制御することにより、車両の乗員にファンの騒音を極力感じさせないようにすることができる。
【００１７】
また、本発明の車載装置の前記車両状態検出手段は、前記車両の空調装置の風量状態を検出する空調装置状態検出部を備えるものから構成されている。
【００１８】
この構成により、空調装置の風量や車載機器の温度に基づいてファンの回転数を制御することにより、車両の乗員にファンの騒音を極力感じさせないようにすることができる。
【００１９】
また、本発明の車載装置の前記車両状態検出手段は、前記車両の窓の開閉状態を検出する窓状態検出部を備えるものから構成されている。
【００２０】
この構成により、車両の窓の開閉状態や車載機器の温度に基づいてファンの回転数を制御することにより、車両の乗員にファンの騒音を極力感じさせないようにすることができる。
【００２１】
また、本発明の車載装置の前記ファン制御手段は、前記車速検出部の検出結果に基づき、車両の速度が速くなると前記ファンの回転数を多くし、車両の速度が遅くなると前記ファンの回転数を少なくするものから構成されている。
【００２２】
この構成により、車速に応じてファン回転数を制御するので、車両の乗員にファンの騒音を極力感じさせないようにすることができる。
【００２３】
また、本発明の車載装置の前記ファン制御手段は、前記エンジン回転数検出部の検出結果に基づき、前記エンジンの回転数が多くなると前記ファンの回転数を多くし、前記エンジンの回転数が少なくなると前記ファンの回転数を少なくするものから構成されている。
【００２４】
この構成により、エンジンの回転数に応じてファン回転数を制御するので、車両の乗員にファンの騒音を極力感じさせないようにすることができる。
【００２５】
また、本発明の車載装置の前記ファン制御手段は、前記空調装置状態検出部の検出結果に基づき、前記空調装置の風量が強くなると前記ファンの回転数を多くし、前記空調装置の風量が弱くなると前記ファンの回転数を少なくするものから構成されている。
【００２６】
この構成により、空調装置の風量に応じてファン回転数を制御するので、車両の乗員にファンの騒音を極力感じさせないようにすることができる。
【００２７】
また、本発明の車載装置の前記ファン制御手段は、前記窓状態検出部の検出結果に基づき、車両の窓が開いているときには、前記ファンの回転数を多くし、車両の窓が閉じているときには、前記ファンの回転数を少なくするものから構成されている。
【００２８】
この構成により、窓の開閉状態に応じてファン回転数を制御するので、車両の乗員にファンの騒音を極力感じさせないようにすることができる。
【００２９】
また、本発明の車載装置は、前記車載機器が車載用プロジェクタであるものから構成されている。
【００３０】
この構成により、車内で映画などの映像を鑑賞する際に、車両の乗員にファンの騒音を極力感じさせないようにすることができる。
【００３１】
また、本発明の車載装置は、前記車載機器が車載用プラズマディスプレイであるものから構成されている。
【００３２】
この構成により、車内で映画などの映像を鑑賞する際に、車両の乗員にファンの騒音を極力感じさせないようにすることができる。
【発明の効果】
【００３３】
以上説明したように、本発明によれば、車両の走行状態や車載機器の温度に基づいてファンの回転数を制御することにより、車両の乗員にファンの騒音を極力感じさせないようにすることができる車載装置を提供することができる。
【発明を実施するための最良の形態】
【００３４】
以下、本発明の実施の形態について、図面を参照しながら説明する。
【００３５】
図１乃至図６は本発明に係る車載装置の一実施の形態を示す図である。
【００３６】
まず、構成を説明する。図１において、車載装置は、車速検出部１１と、エンジン回転数検出部１２と、空調装置状態検出部１３と、窓状態検出部１４と、車両の天井等に装着されたプロジェクタ２０とを備えている。
【００３７】
プロジェクタ２０は車載機器を構成しており、このプロジェクタ２０は、内部温度検出部２１と、ファン制御部２２と、ファン駆動部２３と、ファン２４と、映像投射部２５とを備えている。
【００３８】
車速検出部１１は、車両の速度を検出する車速センサ等から構成されており、車両の速度を検出して検出結果をファン制御部２２に出力する。
【００３９】
エンジン回転数検出部１２は、クランクの角速度を検出することにより、車両のエンジンの回転数を検出するクランク角センサ等から構成されており、エンジン回転数を検出して検出結果をファン制御部２２に出力する。
【００４０】
空調装置状態検出部１３は、車両に設けられたエアダクトや冷暖房装置等の空調装置の風量設定値を検出する検出部から構成されており、風量設定値の検出結果をファン制御部２２に出力する。
【００４１】
窓状態検出部１４は、各窓に設けられ、車両の窓の開閉状態を検出する開閉状態検出センサ等から構成されており、開閉状態検出センサにより窓が少しでも開いているか、あるいは閉じているかを検出し検出結果をファン制御部２２に出力する。
【００４２】
内部温度検出部２１は、プロジェクタ２０の筐体の内部の温度を検出する温度センサ等から構成されており、筐体の内部の温度の検出結果をファン制御部２２に出力する。
【００４３】
ファン制御部２２は、ＣＰＵ（Central Processing Unit）、ＲＯＭ（Read Only Memory）、ＲＡＭ（Random Access Memory）等のコンピュータから構成されており、車速検出部１１からの出力された車速、エンジン回転数検出部１２から出力されたエンジン回転数、空調装置状態検出部１３から検出された空調装置の風量設定値、窓状態検出部１４から出力された窓の開閉状態に基づいてファン２４の回転数を制御する。
【００４４】
具体的には、車両の速度が速い、エンジン回転数が多い、空調装置の風量が強い、一部の窓が開いているか、あるいは筐体の内部温度が高い場合に、ファン駆動部２３によりファン２４が回転数を多くするように制御する。
【００４５】
また、車両の速度が遅い、エンジン回転数が少ない、空調装置の風量が弱い、全ての窓が閉じているか、あるいは筐体の内部温度が低い場合に、ファン駆動部２３によりファン２４が回転数を少なくするように制御する。
【００４６】
ファン駆動部２３は、ファン制御部２２からの制御信号に基づいてファン２４を駆動するようになっており、ファン２４は、プロジェクタ２０の筐体内部を冷却するようになっている。また、映像投射部２５は、映像をスクリーンに投射するようになっている。
【００４７】
本実施の形態では、車速検出部１１、エンジン回転数検出部１２、空調装置状態検出部１３および窓状態検出部１４が車両状態検出手段を構成し、内部温度検出部２１が温度検出手段を構成している。また、ファン駆動部２３およびファン２４が冷却手段を構成している。なお、プロジェクタ２０の筐体の内部だけでなく、外部を冷却しても良い。
【００４８】
次に図２のフローチャートおよび図３のタイミングチャートに基づいてファン２４の制御を説明する。なお、図２のフローチャートは、ファン制御部２４のＲＯＭに格納され、ＣＰＵによって実行されるプログラムである。
【００４９】
なお説明で使用している適正温度範囲とは、プロジェクタ２０が良好に動作可能である温度範囲であり、上限を規定上限温度、下限を規定下限温度として、予め規定しておく。また適正温度範囲内の温度の中から、規定下限解除温度、および規定上限解除温度を予め規定しておく。
【００５０】
図２において、プロジェクタ２０の筐体内部の温度を内部温度検出部２１が検出し、この検出結果に基づいて筐体内部の温度が規定下限温度以下か否かを判別する（ステップＳ１）。プロジェクタ２０の筐体内部の温度が規定下限温度以下であれば、プロジェクタ２０が適正温度範囲を外れた低温状態にあるものと判断し、ファン駆動部２３によりファン２４の回転数を現在の回転数よりも少なく設定する（ステップＳ２）。
【００５１】
そして、筐体の内部の温度が上昇し始めたか否かを判断する（ステップＳ３）。内部の温度が上昇し始めなければ、ステップＳ２に戻ってさらにファン２４の回転数を少なく設定する。ステップＳ３で内部の温度が上昇し始めれば、筐体の内部の温度が規定下限解除温度まで上昇したか否かを判断する（ステップＳ４）。規定下限解除温度まで上昇していなければ、この状態を保持し、規定下限解除温度まで上昇すれば、ステップＳ１へ戻る。
【００５２】
次にステップＳ１でプロジェクタ２０の筐体内部の温度が規定下限温度以上である場合は、プロジェクタ２０の筐体内部の温度が規定上限温度以上であるか否かを判別する（ステップＳ５）。プロジェクタ２０の筐体内部の温度が規定上限温度以上であれば、プロジェクタ２０が適正温度範囲を超えた高温状態にあるものと判断し、ファン駆動部２３によりファン２４の回転数を現在の回転数よりも多く設定する（ステップＳ６）。
【００５３】
そして筐体の内部の温度が下降し始めたか否かを判断する（ステップＳ７）。内部の温度が下降し始めなければ、ステップＳ６に戻ってさらにファン２４の回転数を多く設定する。ステップＳ７で内部の温度が下降し始めれば、筐体の内部温度が規定上限解除温度まで下降したか否かを判断する（ステップＳ８）。規定上限解除温度まで下降していなければ、この状態を保持し、規定上限解除温度まで下降すれば、ステップＳ１へ戻る。
【００５４】
また、ステップＳ５でプロジェクタ２０の筐体内部の温度が規定上限温度以下である、つまり適正温度範囲内であると判断した場合には、車両状態がある閾値Ｓ（図４参照）以下であるか否かを判別する（ステップＳ９）。
【００５５】
ここで、車両状態としては、車速検出部１１からの出力された車速、エンジン回転数検出部１２から出力されたエンジン回転数、空調装置状態検出部１３から検出された空調装置の風量設定値、窓状態検出部４からの出力に基づいて各出力値をＲＡＭに格納された閾値Ｓと比較する。
【００５６】
ここで、例えば、ＲＡＭに記憶された閾値としては、車速検出部１１からの出力された車速の閾値が６０ｋｍ／ｈ、エンジン回転数検出部１２から出力されたエンジン回転数の閾値が３０００ｒｐｍ、空調装置状態検出部１３から検出された空調装置の風量設定値の閾値が１０ｍ3／ｍｉｎ、窓状態検出部１４からの出力値の閾値が窓の開き量２０ｃｍ等に設定されている。
【００５７】
ステップＳ９で車両状態がある閾値Ｓ以下であると判断した場合には、筐体の内部の温度が下降中か否かを判断する（ステップＳ１０）。温度が下降中で無い場合は、ファン駆動部２３のファン２４の回転数をそのまま維持して、ステップＳ１へ戻る。温度が下降中の場合は、ファン駆動部２３によりファン２４の回転数を現状の回転数よりも少なくして（ステップＳ１１）、筐体の内部の温度が上昇し始めた否かを判断する（ステップＳ１２）。内部の温度が上昇し始めなければ、ステップＳ１１に戻ってさらにファン２４の回転数を少なく設定する。ステップＳ１２で内部の温度が上昇し始めれば、ファン２４の回転数をそのままの状態にして、ステップＳ１へ戻る。
【００５８】
また、ステップＳ９で車両状態がある閾値Ｓ以上であると判断した場合には、筐体の内部の温度が上昇中か否かを判断する（ステップＳ１３）。温度が上昇中で無い場合は、ファン駆動部２３のファン２４の回転数をそのまま維持して、ステップＳ１へ戻る。温度が下降中の場合は、ファン駆動部２３によりファン２４の回転数を現状の回転数よりも多くして（ステップＳ１４）、筐体の内部温度が下降し始めた否かを判断する（ステップＳ１５）。
【００５９】
内部の温度が下降し始めなければ、ステップＳ１４に戻ってさらにファン２４の回転数を多く設定する。ステップＳ１５で内部の温度が下降し始めれば、ファン２４の回転数をそのままの状態にして、ステップＳ１へ戻る。
【００６０】
ここで、筐体の内部温度と車速とファン２４の回転数の変化の推移を図３および図４に示す。なお、エンジンの回転数、空調装置の風量および窓の開閉に対しても図３および図４と同様の推移を示す。
【００６１】
図３において、図３（ａ）は内部温度が規定上限温度を超えた場合の処理（図２のステップＳ５からＳ８）の推移を示している。内部温度が上昇していき、規定上限温度を超えると、ファン回転数を徐々に増やしていく。そして、温度が下降をし始めたら、温度が規定上限解除温度以下になるまで、ファン回転数をそのままの状態にする。
【００６２】
また図３（ｂ）は内部温度が規定下限温度を下回った場合の処理（図２のステップＳ１からＳ４）の推移を示している。内部温度が下降していき、規定下限温度を下回ると、ファン回転数を徐々に減らしていく。そして、温度が上昇をし始めたら、温度が規定下限解除温度以上になるまで、ファン回転数をそのままの状態にする。ここで、温度が下降し始めた回転数を保持するのは、回転数を多くしてより騒音を大きくすることがないようにするためである。
【００６３】
なお、図３（ａ）および（ｂ）において、ファン回転数を徐々に増加および減少させる部分において、判りやすくするために階段状に表現しているが、制御の時間間隔を細かくして斜め直線となるようにファン回転数を制御してもよい。これによって、より滑らかに回転数が変化するため、乗員がファンの騒音を感じ難くすることができる。
【００６４】
次に図４において、車両状態として車速を用いた時のファン回転数と内部温度の推移（図２のステップＳ９からＳ１５）を説明する。車速が閾値Ｓ以下でかつ内部温度が上昇中の時には、ファンの回転数をそのままの状態として維持している。ここで、車速が閾値Ｓを越えた時には、温度が上昇中のため、ファンの回転数を徐々に増やしていき、温度が下降し始めたら、その時点のファンの回転数を維持する。そして、車速が閾値Ｓを下回った時には、温度が下降中のため、ファンの回転数を徐々に減らしていき、温度が上昇し始めたら、その時点のファンの回転数を維持する。
【００６５】
このように本実施の形態では、プロジェクタ２０の筐体の内部温度を検出する内部温度検出部２１の検出結果に基づき、プロジェクタ２０の筐体の内部温度が適正温度範囲を越えた場合には、ファン２４の回転数を増加させ、プロジェクタ２０の筐体の内部温度が適正温度範囲を下回った場合には、ファン２４の回転数を減少するように制御し、さらにプロジェクタ２０の筐体の内部温度が適正温度範囲内にある場合に、車速検出部１１、エンジン回転数検出部１２、空調装置状態検出部１３、窓状態検出部１４からの検出結果に基づき、各検出結果に対して予め定められた閾値よりも、車両の速度が速い、エンジン回転数が多い、空調装置の風量が大きい、あるいは窓の隙間が大きいときには、ファン駆動部２３によりファン２４の回転数が多くなるように制御する。
【００６６】
また、予め定められた閾値Ｓよりも、車両の速度が遅い、エンジン回転数が少ない、空調装置の風量が小さい、あるいは窓の隙間が小さいときには、ファン駆動部２３によりファン２４の回転数が少なくなるように制御する。これによって、車両の乗員がファンの騒音を極力感じないようにすることができる。
【００６７】
特に、車載用のプロジェクタ２０の場合は、車内の空間が狭く、乗員の耳に近い位置にプロジェクタ２０のファン２４が設置されることが想定されるため、本発明による効果は大きく、本実施の形態の実用性は極めて高い。
【００６８】
なお、本実施の形態では、車速検出部１１、エンジン回転数検出部１２、空調装置状態検出部１３、窓状態検出部１４のうち少なくとも１つ以上だけが備えられている構成にしても良く、その場合は、これらの検出部の検出結果に応じてファン制御部２２がファン２４を作動させる。
【００６９】
また、本実施の形態では、プロジェクタ２０の筐体の内部温度と、車速検出部１１、エンジン回転数検出部１２、空調装置状態検出部１３および窓状態検出部１４の検出結果とに応じてファン制御部３の制御内容を異ならせても良い。
【００７０】
また、ファン制御部２２のＲＡＭに記憶された閾値は、車速、エンジン回転数、風量、窓の開閉状態に応じてそれぞれ複数あっても良く、その場合は、どれか一つでも閾値以下であれば、ファン２４の回転数を減少させるようにしてもよく、また複数の検出結果によって多数決でファン２４の回転数を減少、または増加させるようにしてもよい。また検出結果の閾値以下の数に応じて、段階的にファン２４の回転数を減少するように制御してもよい。
【００７１】
なお、ファン２４の回転速度が、車速、エンジン回転数、空調装置の風量、窓の開閉状態の大きさに比例して変化するよう制御するようにしても良い。この比例制御を図５および図６を用いて説明する。
【００７２】
図５はファン制御部２２におけるファン２４の回転数を制御するフローである。
【００７３】
図５において、プロジェクタ２０の筐体内部の温度を内部温度検出部２１が検出し、この検出結果に基づいて筐体内部の温度が規定下限温度以下か否かを判別する（ステップＳ２１）。プロジェクタ２０の筐体内部の温度が規定下限温度以下であれば、プロジェクタ２０が適正温度範囲を外れた低温状態にあるものと判断し、ファン駆動部２３によりファン２４の回転数を現在の回転数よりも少なく設定する（ステップＳ２２）。
【００７４】
そして、筐体の内部の温度が上昇し始めたか否かを判断する（ステップＳ２３）。内部の温度が上昇し始めなければ、ステップＳ２２に戻ってさらにファン２４の回転数を少なく設定する。ステップＳ２３で内部の温度が上昇し始めれば、そのファン２４の回転数を記憶する（ステップＳ２４）。
【００７５】
そして、現在の車両状態において適正なファン２４の回転数を求める（ステップＳ２５）。これは、例えば車速の速さに比例してファン２４の回転数が変化するように予め相関関係を定めた式を用意しておき、その式に従って、現在の車速に対応したファン２４の回転数を求めるようにしておく。
【００７６】
ここで、ステップＳ２５で現在の車両状態から求めたファン２４の適正回転数が、ステップＳ２４で記憶した記憶回転数以下の回転数かどうかを判断する（ステップＳ２６）。適正回転数が記憶回転数以下であったときには、ファン２４の回転数を適正回転数とし（ステップＳ２７）、適正回転数が記憶回転数よりも多いときには、ファン２４の回転数を記憶回転数として（ステップＳ２８）、筐体の内部の温度が規定下限解除温度まで上昇したか否かを判断する（ステップＳ２９）。規定下限解除温度まで上昇していなければ、ステップＳ２５へ戻り、規定下限解除温度まで上昇すれば、ステップＳ２１へ戻る。
【００７７】
次にステップＳ２１で、プロジェクタ２０の筐体内部の温度が規定下限温度以上であった場合、筐体内部の温度が規定上限温度以上か否かを判別する（ステップＳ３０）。プロジェクタ２０の筐体内部の温度が規定上限温度以上であれば、プロジェクタ２０が適正温度範囲を越えた高温状態にあるものと判断し、ファン駆動部２３によりファン２４の回転数を現在の回転数よりも多く設定する（ステップＳ３１）。
【００７８】
そして、筐体の内部の温度が下降し始めたか否かを判断する（ステップＳ３２）。内部の温度が下降し始めなければ、ステップＳ３１に戻ってさらにファン２４の回転数を多く設定する。ステップＳ３２で内部の温度が下降し始めれば、そのファン２４の回転数を記憶する（ステップＳ３３）。
【００７９】
そして、現在の車両状態において適正なファン２４の回転数を求める（ステップＳ３４）。ここで、ステップＳ３４で現在の車両状態から求めたファン２４の適正回転数が、ステップＳ３３で記憶した記憶回転数以上の回転数かどうかを判断する（ステップＳ３５）。
【００８０】
適正回転数が記憶回転数以上であったときには、ファン２４の回転数を適正回転数とし（ステップＳ３６）、適正回転数が記憶回転数よりも少ないときには、ファン２４の回転数を記憶回転数として（ステップＳ３７）、筐体の内部の温度が規定上限解除温度まで下降したか否かを判断する（ステップＳ３８）。規定上限解除温度まで下降していなければ、ステップＳ３４へ戻り、規定上限解除温度まで下降すれば、ステップＳ２１へ戻る。
【００８１】
また、ステップＳ３０でプロジェクタ２０の筐体内部の温度が規定上限温度以下である、つまり適正温度範囲内であると判断した場合には、現在の車両状態において適正なファン２４の回転数を求め（ステップＳ３９）、ファン２４の回転数を適正回転数に設定して（ステップＳ４０）、ステップＳ２１へ戻る。
【００８２】
次に図６において、車両状態として車速を用いた時のファン回転数と内部温度の推移を説明する。
【００８３】
当初、内部温度が適正温度範囲内にある状態では、車速に比例して、ファン回転数が制御されている。これにより、Ａ点までは車速が遅くなるにつれファン回転数も減少していく。Ａ点において、車速が０となると、ファンの回転数も最少となる。
【００８４】
ここで、ファン回転数が少ないためにプロジェクタ２０の筐体内部の温度が上昇していき、規定上限温度を超えたとき（Ｂ点）、車速に関係なく、ファン回転数は増加していき、温度が下降をし始めると（Ｃ点）、その回転数（記憶回転数Ｒ）を保持する。
【００８５】
この状態において、車速が速くなり車速に比例した適正回転数が記憶回転数Ｒを越えた時（Ｄ点）、ファンの回転数は適正回転数に設定され、車速に比例した回転数となる。そして、温度が規定上限解除温度よりも低くなるまでは、車速が変化しても（Ｅ点）、適正回転数と記憶回転数の大きい回転数の方がファン回転数に設定される。
【００８６】
そして、規定上限解除温度以下に温度が下がった後は、最初のように車速に比例してファン回転数が制御される（Ｆ点）。
【００８７】
次にファンの回転数が多いためにプロジェクタ２０の筐体内部温度が下降していき、規定下限温度を下回った時（Ｇ点）には、車速に関係なく、ファン回転数は減少していき、温度が上昇をし始めると（Ｈ点）、その回転数（記憶回転数Ｒ）を保持する。
【００８８】
この状態において、車速が遅くなり車速に比例した適正回転数が記憶回転数Ｒを下回った時（Ｉ点）、ファンの回転数は適正回転数に設定され、車速に比例した回転数となる。そして、温度が規定下限解除温度よりも高くなるまで、車速が変化しても（Ｊ点）、適正回転数と記憶回転数の少ない回転数の方がファン回転数に設定される。
【００８９】
なお、本実施の形態では、ファン２４の回転数の制御は、多くする／少なくするというだけでなく、回転数の変化を急峻にする／緩やかにする等にしても良い。要は乗員が感じる騒音の度合いを軽減する制御であれば、制御方法はこれらに限定されない。
【００９０】
なお、空調装置状態検出部１３は、空調装置の風量だけでなく、外気導入スイッチが外気または内気のどちらに設定されているか、または、送風状態か冷暖房状態かを検出しても良く、検出結果に応じてファン２４の回転数を変化させるようにしても良い。
【００９１】
また、窓状態検出部１４は、窓の開閉レベル（窓が開いている隙間の大きさ）を検出しても良く、この場合には、窓の開閉レベルに応じてファン２４の回転数が制御される。また、窓状態検出部１４が車両の一部の窓が開いている、または閉じているのを検出しても良く、この場合には、一部の窓の開閉に応じてファン２４の回転数が制御される。
【００９２】
なお、本実施の形態では、車載機器としてプロジェクタ２０を用いているが、これに限らず、冷却装置を必要とする車載機器であれば、どのような車載機器でも良く、例えば、プラズマディスプレイを車両に搭載する場合においても同様の構成で実現することができる。
【産業上の利用可能性】
【００９３】
本発明にかかる車載装置は、車両の走行状態や車載機器の温度に基づいてファンの回転数を制御することにより、車両の乗員にファンの騒音を極力感じさせないようにすることができるという効果を有し、車両状態に応じて車載機器を冷却するファンの回転を制御する車載装置等として有用である。
【図面の簡単な説明】
【００９４】
【図１】本発明の一実施の形態における車載装置の構成を示すブロック図
【図２】本発明の一実施の形態における車載装置の動作を示すフローチャート
【図３】（ａ）本発明の一実施の形態における車載装置の規定上限温度を超えた時の動作の説明図  （ｂ）本発明の一実施の形態における車載装置の規定下限温度を下回った時の動作の説明図
【図４】本発明の一実施の形態における車載装置の動作の一例を示す説明図
【図５】本発明の一実施の形態における車載装置の他の動作を示すフローチャート
【図６】本発明の一実施の形態における車載装置の他の動作の例を示す説明図
【図７】従来の車載プロジェクタ用冷却装置の構成を示す図
【符号の説明】
【００９５】
１１  車速検出部（車両状態検出手段）
１２  エンジン回転数検出部（車両状態検出手段）
１３  空調装置状態検出部（車両状態検出手段）
１４  窓状態検出部（車両状態検出手段）
２０  プロジェクタ（車載機器）
２１  内部温度検出部（温度検出手段）
２２  ファン制御部
２３  ファン駆動部（冷却手段）
２４  ファン（冷却手段）
【図１】
2006347495.tif 000003
【図２】
2006347495.tif 000004
【図３】
2006347495.tif 000005
【図４】
2006347495.tif 000006
【図５】
2006347495.tif 000007
【図６】
2006347495.tif 000008
【図７】
2006347495.tif 000009